(57)【要約】【課題】ペルチェ素子や送風ファン等の電動機械部品を不要としたペット用冷却板において、非現実的な重量化を招くことなく心地よさの持続性を高めることを実現可能にし、しかも、冷却板のさらなる温度低下を図る。【解決手段】ペットが寝転がる冷却面２ａを形成する熱伝導板２を、最大０．０５cc／cm３〜０．５cc／cm３の水を含ませることができる素焼きのタイルとし、熱伝導板２に水を含ませた状態で使用することで、水の気化熱により熱伝導板２のさらなる温度低下を図ることができるとともに、心地よさの持続性を十分に得ることができる。また、熱伝導板２の熱容量に依存することなく水の気化熱を利用しているので、ペット用冷却板１の非現実的な重量化を招くことなく心地よさの持続性を高くできる。【選択図】        図１
0003115188.tif 000002
【実用新案登録請求の範囲】
【請求項１】
ペットが寝転がる冷却面を形成する熱伝導板と、
前記熱伝導板の底面に備えられて設置面に当接する複数の不陸調整材とから構成され、
前記熱伝導板は、単位体積あたりの可能含水量が０．０５cc／cm３〜０．５cc／cm３である素焼きのタイルであることを特徴とするペット用冷却板。
【請求項２】
前記冷却面の一部に撥水材を塗布したことを特徴とする請求項１に記載のペット用冷却板。
【請求項３】
前記不陸調整材は、ゲル状のシリコンを前記熱伝導板の不陸に合わせて変形させ、該変形した状態で固体化させたものであることを特徴とする請求項１または２に記載のペット用冷却板。
【考案の詳細な説明】
【技術分野】
【０００１】
本考案は、猫、犬その他のペットを心地よく冷却するペット用冷却板に関するものである。
【背景技術】
【０００２】
従来、熱伝導板の上に寝転がるペットの熱が熱伝導板に伝熱されることで、ペットを心地よく冷却するように機能するペット用冷却板が知られている。このペット用冷却板は、例えば日陰となる場所に設置することで、熱伝導板の温度がペットの体温より低くなるようにして使用するものであり、ペルチェ素子や送風ファン等の電動機械部品を不要とするものである。この種の冷却板に関し、特許文献１に記載の発明では、冷却板がアルミニウム等の金属であり、縦横寸法を１５０ｍｍ×２５０〜４００ｍｍ或いは６１０ｍｍ×４００〜１２００ｍｍとし、厚さ寸法を２〜３ｍｍとしている。
【０００３】
【特許文献１】特開２００３−１２５６６２号公報
【考案の開示】
【考案が解決しようとする課題】
【０００４】
しかしながら、上記特許文献１に記載の冷却板では、金属は熱伝導率が高いため、ペットの熱を即座に冷却板に移動させることができるものの、厚さ寸法が２〜３ｍｍの冷却板では熱容量が小さいので、風で空冷されるといえども冷却板は直にペットの体温に近い温度に上昇してしまう。すなわち、ペットが冷却板に寝転がった直後にはひんやりとして心地よいが、直にひんやりとした感じがなくなってしまい、心地よさの持続性がない。
【０００５】
因みに、冷却板の厚さ寸法を大きくして熱容量を大きくしようとすると、冷却板の重量が大きくなってしまうため、冷却板の移動等、その取り扱いが不便となり、現実的ではない。
【０００６】
上記点に鑑み、本考案は、ペルチェ素子や送風ファン等の電動機械部品を不要としたペット用冷却板において、非現実的な重量化を招くことなく心地よさの持続性を高めることを実現可能にし、しかも、冷却板のさらなる温度低下を図ることを目的とする。
【課題を解決するための手段】
【０００７】
上記目的を達成するため、請求項１に記載の考案は、ペットが寝転がる冷却面を形成する熱伝導板と、前記熱伝導板の底面に備えられて設置面に当接する複数の不陸調整材とから構成され、前記熱伝導板は、単位体積あたりの可能含水量が０．０５cc／cm３〜０．５cc／cm３である素焼きのタイルであることを特徴とするペット用冷却板である。
なお、上記「可能含水量」とは、素焼きタイル内部に浸透させて含ませることのできる最大水量のことである。また、「不陸調整材」の材質例としてはシリコン、コルク、ゴム等が挙げられる。
【０００８】
また、請求項２に記載の考案では、前記冷却面の一部に撥水材を塗布したことを特徴とし、請求項３に記載の考案では、前記不陸調整材は、ゲル状のシリコンを前記熱伝導板の不陸に合わせて変形させ、該変形した状態で固体化させたものであることを特徴とする。なお、撥水材の具体的な材質例としてはシリコン等が挙げられる。
【考案の効果】
【０００９】
請求項１に記載の考案によれば、熱伝導板が素焼きのタイルであるので、熱伝導板に水を含ませた状態で使用することで、水の気化熱により熱伝導板のさらなる温度低下を図ることができる。そして、熱伝導板には最大０．０５cc／cm３〜０．５cc／cm３の水を含ませることができるので、特許文献１等に記載の従来のペット用冷却板に比べて、心地よさの持続性を十分に得ることができる。しかも、このような気化熱利用を実現するための構造を、極めてシンプルにできる。
【００１０】
また、熱伝導板の熱容量に依存することなく水の気化熱を利用しているので、ペット用冷却板の非現実的な重量化を招くことなく心地よさの持続性を高めることを実現可能にできる。
【００１１】
また、素焼きのタイルは、金属に比べて熱伝導率が低いが、本考案の熱伝導板は水を含ませた状態で使用するので、熱伝導率を十分に確保することができ、ペットの熱を即座に熱伝導板に移動させることができる。
【００１２】
また、熱伝導板の底面に複数の不陸調整材を備えているので、熱伝導板が設置面に直接当たることを回避して、熱伝導板の割れ、欠け等の破損を防止している。さらに、これらの不陸調整材を備えることで、熱伝導板と設置面との間に通風空間ができるので、熱伝導板の上面（冷却面）からの気化のみならず底面からの気化も促進されるので、熱伝導板のより一層の温度低下を図ることができる。
【００１３】
ところで、水が十分に含まれている場合と含まれていない場合とで、熱伝導板の冷却面の色彩は異なって見える。つまり、水が十分に含まれている場合には、含まれていない場合に比べて冷却面が濃い色彩に見える。よって、冷却面が濃い色彩であるか否かを判断すれば、水が十分に含まれているか否かを使用者が判断できる。しかしながら現実問題として、濃い色彩であるか否かは判断が難しいため、水が十分に含まれているか否かを使用者が目視で確認することは容易ではない。
【００１４】
これに対し、請求項２に記載の考案によれば、熱伝導板に水が十分に含まれている場合には、撥水材が塗布されていない部分が塗布されている部分に比べて濃い色彩に見え、水が十分に含まれていない場合には、撥水材が塗布されていない部分が塗布されている部分に比べて薄い色彩、或いは同じ濃さの色彩に見える。よって、使用者は、冷却面のうち撥水材が塗布されている部分と塗布されていない部分とを見比べて、両部分の色彩の違いを比較判断することで、水が十分に含まれているか否かを確認することができる。すなわち、撥水材が塗布されていない部分が塗布されている部分に比べて濃い色彩に見えれば水が十分に含まれていると判断でき、薄い色彩或いは同じ濃さの色彩に見えれば水が十分に含まれていないと判断できる。以上により、水が十分に含まれているか否かを使用者が容易に確認できる。
【００１５】
ここで、素焼きのタイルは、釉薬を使用して焼いたタイルや金属に比べて焼き上がりの形状が不安定であり、寸法精度がよくない。よって、不陸調整材が、変形量の小さいコルクやゴム等であると、ペット用冷却板を設置面に置いたときに、ペット用冷却板が設置面に対してカタカタ動いてしまい、ペットに不快感を与えてしまう。これに対し、請求項３に記載の考案によれば、不陸調整材は、ゲル状のシリコンを前記熱伝導板の不陸に合わせて変形させ、該変形した状態で固体化させたものであるので、不陸調整材が熱伝導板と設置面に挟まれて潰され、大きく変形して固まる（固体化する）ことで、熱伝導板の寸法精度のバラツキを吸収でき、ペット用冷却板が設置面に対してカタカタ動いてしまうことを防止できる。ゲル状のシリコンを熱伝導板の不陸に合わせて変形させるには、熱伝導板を設置面に押し付けることで変形させるようにすることが、簡単で好ましい。
【考案を実施するための最良の形態】
【００１６】
以下に、本考案の好適な実施形態について図面を参照して説明する。尚、本考案の実施の形態は、下記の実施形態に何ら限定されるものではなく、本考案の技術的範囲に属する限り種々の形態を採り得ることは無論である。
【００１７】
（実施形態）
図１は本実施形態に係るペット用冷却板１を示した斜視図であり、ペット用冷却板１は、ペットが寝転がる冷却面２ａを形成する熱伝導板２と、熱伝導板２の底面に備えられて設置面に当接する複数の不陸調整材３とから構成されている。
【００１８】
熱伝導板２の材質は素焼きのタイル（テラコッタ）であり、この素焼きタイルの単位体積あたりの可能含水量は約０．３cc／cm３である。すなわち、１辺が約３００ｍｍの正方形、厚さ約１８ｍｍの熱伝導板２に約５００ｃｃの水を含ませることができる。熱伝導板２は複数枚（図１では４枚）を集合させて使用している。これにより、熱伝導板２を移動させる等の取り扱い性を良好にできる。また、熱伝導板２の形状は矩形であり、本実施形態に係る各熱伝導板２の形状は、１辺が約３００ｍｍの正方形であり、厚さ寸法は約１８ｍｍである。
【００１９】
不陸調整材３は、ゲル状のシリコンを固体化させたものであり、熱伝導板２と設置面に挟まれて潰され、大きく変形して固まる（固体化する）ことで、熱伝導板２の寸法精度のバラツキを吸収し、ペット用冷却板１が設置面に対してカタカタ動いてしまうことを防止している。なお、前述のように変形させるにあたり、熱伝導板２と設置面との間に所定厚さ（例えば５ｍｍ〜６ｍｍ）のスペーサを配置した状態で固体化させれば、不陸調整材３が所定厚さ以上潰されてしまうことを防止でき、好適である。本実施形態に係る不陸調整材３は各熱伝導板２の４隅に固着されている。また、不陸調整材３の形状は、潰されていない状態においては上下方向に延びる円柱形状であり、潰された状態において高さ５ｍｍ〜６ｍｍの大きさとなることが好ましい。なお、図１に示す不陸調整材３は潰された状態である。
【００２０】
また、各熱伝導板２の冷却面２ａの一部分（図１中の斜線を付した部分）には、水不足状態識別マーカーとして機能する撥水材４が塗布されている。これによれば、熱伝導板２に水が十分に含まれている場合には、撥水材４が塗布されていない部分が塗布されている部分に比べて濃い色彩に見え、水が十分に含まれていない場合には、撥水材４が塗布されていない部分が塗布されている部分に比べて薄い色彩、或いは同じ濃さの色彩に見える。よって、ペット用冷却板１の使用者は、両部分の色彩を見比べることで、熱伝導板２に含まれる水が不足しているか否かを容易に確認することができる。
【００２１】
以上により、本実施形態によれば、熱伝導板２が素焼きタイルであるので、熱伝導板２に水を含ませた状態で使用することで、水の気化熱により熱伝導板２のさらなる温度低下を図ることができる。そして、熱伝導板２には約５００ｃｃ（０．３cc／cm３）の水を含ませることができるので、心地よさの持続性を十分に得ることができる。
【００２２】
また、熱伝導板２の熱容量に依存することなく水の気化熱を利用しているので、ペット用冷却板１の非現実的な重量化を招くことなく心地よさの持続性を高めることを実現可能にできる。しかも、不陸調整材３を備えることで、熱伝導板２と設置面との間に通風空間ができるので、熱伝導板２の上面（冷却面２ａ）からの気化のみならず底面からの気化も促進されるので、熱伝導板２のより一層の温度低下を図ることができる。
【００２３】
また、素焼きのタイルは、金属に比べて熱伝導率が低いが、本実施形態に係る熱伝導板２は水を含ませた状態で使用するので、熱伝導率を十分に確保することができ、ペットの熱を即座に熱伝導板２に移動させることができる。
【００２４】
上記実施形態では、ペット用冷却板１について説明したが、次に、ペット用冷却板１の製造方法について説明する。
【００２５】
図２を用いて、その製造方法を説明すると、先ず、熱伝導板２の底面の四隅に、ゲル状のシリコンからなる不陸調整材３を取り付ける。次に、熱伝導板２と設置面である石膏を素材とするベース版６との間に所定厚さ（例えば５ｍｍ〜６ｍｍ）のスペーサ５を配置した状態で、熱伝導板２をベース版６に押し付ける。このように、熱伝導板２をベース板６に押し付けることにより、ゲル状の不陸調整材３は熱伝導板２の不陸に合わせて押し潰される。そして、この押し潰された状態でゲル状の不陸調整材３を固体化させる。ゲル状の不陸調整材３が固体化されると、熱伝導板２の底面の四隅に、不陸調整材３が取り付けられ、ペット用冷却板１が完成される。なお、前記スペーサ５は、不陸調整材３が所定厚さ以上潰されてしまうことを防止するためのものである。
【００２６】
更に、図３に示すように、熱伝導板２の両端位置に木材７を設け、当該木材７に、更にベース板６aを配置することもできる。そして、更にこのベース板６a上にて、図２で説明した方法で、ペット用冷却板１を製造することが出来る。このようにして、ベース板、スペーサ、熱伝導板の順に何層にも組み合わせてペット用冷却板１を製造することで、小スペースでペット用冷却板１を大量生産することが可能となる。
【００２７】
以上によるペット用冷却板１の製造方法によれば、ベース板、スペーサ、熱伝導板の順に何層にも組み合わせることで、ペット用冷却板１の保管と製造作業とを兼ねさせることができ、好適である。
【００２８】
（他の実施形態）
上記実施形態では４枚の熱伝導板２を集合させて使用しているが、本考案の実施にあたり、複数枚の熱伝導板２を集合させることなく１枚で使用するようにしてもよいし、５枚以上を集合させて使用するようにしてもよい。また、集合させた熱伝導板２の配置は、複数列、複数行（例えば図１の如く田の字）に敷き並べるようにしてもよいし、一列に敷き並べるようにしてもよい。尚、本考案のペット用冷却板１を屋内に配置して使用する場合には、ペット用冷却板１の湿気で床が傷むのを防止する為に、防水シートを敷くのが好ましい。
【産業上の利用可能性】
【００２９】
本考案は、一般家屋の庭先等、屋外に設置して利用することが、好適な利用例として挙げられる。しかし、本考案を、小型犬等の小さなペットに使用する場合には、屋内で使用するのが好適である。
【図面の簡単な説明】
【００３０】
【図１】本考案の実施形態に係るペット用冷却板１の使用状態を示した斜視図である。
【図２】本考案に係わるペット用冷却板１の製造方法を示す斜視図である。
【図３】本考案に係わるペット用冷却板１の製造方法を示す斜視図である。
【符号の説明】
【００３１】
１…ペット用冷却板    ２…熱伝導板（素焼きタイル）    ２ａ…冷却面
３…不陸調整材  ４…撥水材（水不足状態識別マーカー）
【図１】
0003115188.tif 000003
【図２】
0003115188.tif 000004
【図３】
0003115188.tif 000005